(57)【特許請求の範囲】
【請求項１】
ガスの品質に関する特定の量を決定するための方法であって、前記方法は、
−  ガスまたはガス混合物が、超音波フロー測定デバイスを貫通して流れ、かつマイクロ熱センサー上を流れ、かつ前記ガスまたはガス混合物の温度（Ｔ）および圧力（ｐ）が検出され、
−  前記ガスまたはガス混合物の流速（ｖｘ）または容積流量と音速（ｃｓ）とが前記超音波フローセンサーによって決定され、
−  前記ガスまたはガス混合物の密度が前記音速（ｃｓ）から相関付けられ、
−  密度情報が、前記流速と共に、質量流量を計算するのに用いられ、
−  １つまたはいくつかの温度における前記ガスまたはガス混合物の熱伝導率（λ）が前記マイクロ熱センサーによって決定され、
−  前記質量流量および熱伝導率の情報と共に、前記ガスまたはガス混合物の熱容量（ｃｐ）または前記熱容量によって変化する量をフローファクター（φ）から決定するために、前記フローファクター（φ）が前記マイクロ熱センサーのフロー信号から計算され、
−  および最後に、前記音速と、１つまたはいくつかの温度における前記熱伝導率と、前記熱容量または前記熱容量によって変化する前記量のいずれかとが、前記ガスの品質に関する特定の量、特に発熱量の相関付けに用いられる、
方法。
【請求項２】
前記超音波フローセンサーによって決定される前記音速（ｃｓ）が、標準温度（Ｔｎｏｒｍ）における音速に変換される、請求項１に記載の方法。
【請求項３】
１つまたはいくつかの温度において前記マイクロ熱センサーによって決定される前記熱伝導率（λ）が、前記音速と共に、前記密度のより正確な相関付けに用いられる、請求項１または２に記載の方法。
【請求項４】
相関付けによって決定される前記密度が標準密度であることと、相関付けによって決定される前記密度が前記ガスまたはガス混合物の前記温度（Ｔ）および前記圧力（ｐ）によって運転条件における密度（ρ）に変換されることと、のうちの少なくとも一方である、請求項１〜３のいずれか一項に記載の方法。
【請求項５】
前記音速と、１つまたはいくつかの温度における前記熱伝導率と、前記熱容量または前記熱容量によって変化する前記量のいずれかとが、前記発熱量、またはウォッベ指数（Ｗ）、またはＺ因子、または動粘度の相関付けに用いられる、請求項１〜４のいずれか一項に記載の方法。
【請求項６】
エネルギー消費量（ΦＥＮ）が、前記容積流量または質量流量と共に前記発熱量から計算される、請求項５に記載の方法。
【請求項７】
ガスの品質に関する特定の量およびエネルギー消費量のうちの少なくとも一方を決定するための測定装置であって、請求項１〜６のいずれか一項に記載の方法を実施するように構成される評価ユニット（１０）を含み、かつ音速および流速測定用の超音波フローセンサー（４）と、圧力測定用の圧力センサー（８）と、温度測定用の温度センサー（９）と、ガスまたはガス混合物の熱伝導率および熱容量または前記熱容量によって変化する量のいずれかの測定用のマイクロ熱センサー（７）とを含む測定装置。
【請求項８】
前記超音波フローセンサー（４）および前記マイクロ熱センサー（７）がガスライン（１）内に配置され、および同じ質量流量を供給され得る、請求項７に記載の測定装置。
【請求項９】
前記超音波フローセンサー（４）が主たるガスライン（１）内に、かつ前記マイクロ熱センサー（７）は前記主たるガスラインに対するバイパスガスライン（６）内に配置され、および前記バイパスガスライン内に質量流量を発生させるために、前記主たるガスライン内に、圧力低下を生じさせる要素（５）が設けられる、請求項７に記載の測定装置。
【請求項１０】
前記超音波フローセンサー（４）が、前記ガスラインまたは前記主たるガスライン（１）に非侵入方式で配置される、請求項８または９に記載の測定装置。
【請求項１１】
前記超音波フローセンサー（４）および前記マイクロ熱センサー（７）が、主たるガスライン（１）に対するバイパスガスライン（６）内に配置され、および前記バイパスガスライン内に質量流量を発生させるために、前記主たるガスライン内に、圧力低下を生じさせる要素（５）が設けられる、請求項７に記載の測定装置。
【請求項１２】
前記バイパスガスライン内および前記主たるガスライン内の前記質量流量の分割比が、例えば既知のガスで校正することによって知られる、請求項９〜１１のいずれか一項に記載の測定装置。
【請求項１３】
前記測定装置が、付加的に、前記ガスラインまたは前記主たるガスライン（１）の一部分と、バイパスガスライン（６）であって、前記測定装置（１１）の前記センサー（４、７、８、９）の少なくとも１つがその中に配置されるバイパスガスライン（６）と、前記主たるガスライン（１）内に圧力低下を生じさせる要素（５）と、のうちの少なくとも１つを含む、請求項７〜１２のいずれか一項に記載の測定装置。
【請求項１４】
前記評価ユニット（１０）が、残りの測定装置と共にモジュラーユニットを形成するか、または前記測定装置が前記評価ユニット（１０）なしのモジュラーユニットを形成し、かつ前記評価ユニット（１０）が別個のまたはより高レベルの計算ユニットの中に形成される、請求項７〜１３のいずれか一項に記載の測定装置。
【発明の詳細な説明】
【技術分野】
【０００１】
本発明は、家庭用分野および工業用分野におけるガスの品質に関する特定の量および／またはエネルギー消費量を決定するための方法および測定装置に関する。
【背景技術】
【０００２】
（天然）ガスの組成、従ってガスの品質は、新しい発生源（バイオガス、世界のあらゆる地域からの液化ガス、代替エネルギー生成からの余剰電流の利用による水素）によって、将来頻繁にかつ大幅に変動し、従って、ガス適用プロセスに、負の影響をも含み得る様々な影響を及ぼすことになるであろう。このプロセスは、最適かつ安全な運転を確保するために、オンサイトでのガスの品質に関する特定の量を直接測定することによって、変動するガスの品質に対して調整することができる。ガスの品質に関する特定の量としては、例えば、バーナ制御ユニット用のウォッベ指数、動力発生システム（工業炉、燃料電池など）における空気対燃料比、ガスエンジン用のメタン価、または購入されたエネルギー量を請求する場合の発熱量が含まれる。しかしながら、発熱量については、若干の例外は別として、ダイアフラムガスメータ（家庭用）による容積流量の測定によって、または大容積のガスの購入（工業用）の場合には回転積算体積計、タービンホイールメータまたは超音波フローメータによって、現在発生している購入ガス量を測定することが必要である。これらのすべての測定手段は、運転容積の決定に対してのみ適している。これらのデータから、購入された請求可能なエネルギーについての結論を引き出すためには、標準容積への変換と、さらに、その都度供給されるガスの発熱量に関する情報とが必要であるが、この両方には不正確さが伴う。すなわち、標準容積は、通常、平均温度および平均圧力によって計算され、発熱量も、請求期間全体にわたって平均された値である。
【０００３】
本発明の目的は、ガスの品質に関する特定の量および／または動力消費量をリアルタイムで決定できる方法および測定装置を提供することにある。
ガスの品質に関する特定の量を下流側のマイクロ熱センサーによって測定するために、流れを臨界ノズルによって生成する方法が特許出願（特許文献１）から知られている。この方法は、ノズルに上流側の圧力を供給すること、または、ノズルの背後に真空を生成することのいずれかによって、臨界圧力条件がノズルを介して常に存在することを必要とする。従って、この方法は、最終顧客においてガスの品質に関する特定の量を決定するものとしては直接的には適していない。なぜなら、供給ネットワークは、この点において、必要な上流側圧力を有することが稀であり、ノズル背後における真空ポンプの設置は問題外だからである。
【０００４】
熱拡散率を決定し得るという点で、マイクロ熱センサーを容積流量測定装置の高度化のために用いる方法が（特許文献２）から知られる。この方法によって、熱伝導率が既知である場合に、ガスをＬ（低発熱量）ガスまたはＨ（高発熱量）ガスに分類することが可能になる。しかしながら、容積流量と、熱拡散率と、熱伝導率とから、発熱量およびエネルギーの流れについて十分な正確さをもって結論を引き出すことは不可能である。
【先行技術文献】
【特許文献】
【０００５】
【特許文献１】欧州特許出願公開第２８０６２７１Ａ１号明細書（欧州特許出願第１４００１７６７号）
【特許文献２】欧州特許出願公開第２５７４９１８Ａ１号明細書
【発明の概要】
【発明が解決しようとする課題】
【０００６】
本発明の目的は、上記の方法の欠点を改善すること、および、低圧のガスネットワークに適していると共に、ガスのＬガスまたはＨガスへの分類に加えて、発熱量およびエネルギー消費量を決定することも可能な方法および測定装置を提供することである。
【課題を解決するための手段】
【０００７】
上記した課題を解決するために、請求項１に記載の発明は、ガスの品質に関する特定の量を決定するための方法であって、同方法は、
−  ガスまたはガス混合物が、超音波フロー測定デバイスを貫通して流れ、かつマイクロ熱センサー上を流れ、およびガスまたはガス混合物の温度（Ｔ）および圧力（ｐ）が検出され、
−  ガスまたはガス混合物の流速（ｖｘ）または容積流量と音速（ｃｓ）とが超音波フローセンサーによって決定され、
−  ガスまたはガス混合物の密度が音速（ｃｓ）から相関付けられ、
−  密度情報が、流速と共に、質量流量を計算するのに用いられ、
−  １つまたはいくつかの温度におけるガスまたはガス混合物の熱伝導率（λ）がマイクロ熱センサーによって決定され、
−  質量流量および熱伝導率の情報と共に、ガスまたはガス混合物の熱容量（ｃｐ）または熱容量によって変化する量をフローファクター（φ）から決定するために、フローファクター（φ）がマイクロ熱センサーのフロー信号から計算され、
−  および最後に、音速と、１つまたはいくつかの温度における熱伝導率と、熱容量または熱容量によって変化する量のいずれかとが、ガスの品質に関する特定の量、特に発熱量の相関付けに用いられる、
方法、を提供する。
【０００８】
請求項７に記載の発明は、ガスの品質に関する特定の量およびエネルギー消費量のうちの少なくとも一方を決定するための測定装置であって、請求項１〜６のいずれか一項に記載の方法を実施するように構成される評価ユニット１０を含み、かつ音速および流速測定用の超音波フローセンサー４と、圧力測定用の圧力センサー８と、温度測定用の温度センサー９と、ガスまたはガス混合物の熱伝導率および熱容量または前記熱容量によって変化する量のいずれかの測定用のマイクロ熱センサー７とを含む測定装置、を提供する。
【０００９】
この目的は、請求項１に記載の方法、および、請求項７に記載の測定装置によって実現される。
本発明は、ガスの品質に関する特定の量および／またはエネルギー消費量を決定するために、以下のように、超音波フローセンサーをマイクロ熱センサーと組み合わせる考え方に基づいている。
【００１０】
超音波フローセンサーによる音速および容積流量の測定
容積流量を決定するため、超音波信号を、通常、ある角度で流れの方向に対して横方向に流れの媒体の中に送入し、超音波信号の走行時間の差異を、流れの方向およびその流れの方向に対向する方向の両方において測定する（図１ｂ）。続いて、２つの超音波信号の走行時間の差異を平均流速用の尺度とし、それから、ラインの既知の断面積を用いて容積流量を計算できる。
【００１１】
【数１】
0006517668.tif 000002
【００１２】
但し、
ｖｘは平均流速を意味し、
ｃｓは音速を意味し、
Ｌは測定距離の長さを意味し、
ｔ１２は流れの方向における走行時間を意味し、および
ｔ２１は流れに対向する方向における走行時間を意味する。
【００１３】
走行時間の総合計は、超音波フローメータにおいてはこれ以上用いることはほとんどない媒体の音速ｃｓに関する情報を含んでいる。
特許出願である特許文献１に記載のマイクロ熱センサーとの組合せにおいては、音速に関する情報のための臨界ノズルを省略することが可能である。その理由は、音速に関する情報は第１次の音速をも供給するからであり、それは、臨界圧力条件を必要としない、すなわち、所与の圧力で測定可能であるという利点を有する。その結果、低圧ガスネットワークにおいて、コンプレッサまたは真空ポンプのいずれも必要でない。
【００１４】
質量流量の決定
密度は、音速から相関付けによって決定できる。密度は、ほとんどのガスについて、音速とよく相関する。密度の相関付けをさらに改善するため、１つまたはいくつかの温度において熱伝導率を付加的に測定することができ、相関付けに含めることができる。
【００１５】
質量流量は、密度ρと流速ｖｘとの積ρ・ｖｘに比例する。
【００１６】
【数２】
0006517668.tif 000003
【００１７】
但し、Ａは流路の断面積を意味する。
マイクロ熱センサーによる熱伝導率の測定
集積型ＣＭＯＳ熱線アネモメータによって、マイクロ熱による熱伝導率の測定と質量流量の測定との両方が可能である。この技術に関しては、文献、Ｄ．マター（Ｄ．Ｍａｔｔｅｒ）、Ｂ．クラマー（Ｂ．Ｋｒａｍｅｒ）、Ｔ．クライナー（Ｔ．Ｋｌｅｉｎｅｒ）、Ｂ．サバッティーニ（Ｂ．Ｓａｂｂａｔｔｉｎｉ）、Ｔ．ズター（Ｔ．Ｓｕｔｅｒ）著、「新技術による家庭用マイクロエレクトロニクスガスメータ（Ｍｉｋｒｏｅｌｅｋｔｏｎｉｓｃｈｅｒ  Ｈａｕｓｈａｌｔｓｇａｓｚａｅｈｌｅｒ  ｍｉｔ  ｎｅｕｅｒ  Ｔｅｃｈｎｏｌｏｇｉｅ［Ｍｉｃｒｏｅｌｅｃｔｒｏｎｉｃ  ｄｏｍｅｓｔｉｃ  ｇａｓ  ｍｅｔｅｒ  ｗｉｔｈ  ｎｅｗ  ｔｅｃｈｎｏｌｏｇｙ］）」、技術見本市（Ｔｅｃｈｎｉｓｃｈｅｓ  Ｍｅｓｓｅｎ）、第７１巻、第３号（２００４年）、ｐ．１３７〜１４６が参照される。
【００１８】
マイクロ熱測定を記述するためには、マイクロ熱システムを記述する１次元の熱伝導方程式が用いられる（カーソン  フアン（Ｋｅｒｓｏｎ  Ｈｕａｎｇ）著、「統計力学（Ｓｔａｔｉｓｔｉｃａｌ  Ｍｅｃｈａｎｉｃｓ）」、第２版、ジョン・ワイリー・アンド・サンズ（Ｊｏｈｎ  Ｗｉｌｅｙ＆Ｓｏｎｓ）、ニューヨーク、１９８７年、ＩＳＢＮ  ０−４７１−８５９１３−３）。
【００１９】
【数３】
0006517668.tif 000004
【００２０】
但し、
ｖｘはＸ方向における、すなわちガス流れに沿う平均流速
【００２１】
【数４】
0006517668.tif 000005
【００２２】
（速度ベクトル）の成分を意味し、
Ｔは温度を意味し、
【００２３】
【数５】
0006517668.tif 000006
【００２４】
は温度勾配を意味し、
ｃｐは一定圧力におけるガスの熱容量を意味し、
ρは密度を意味し、
λはガスの熱伝導率を意味し、
∇２Ｔは温度Ｔに適用されるラプラス演算子を意味し、ここで、
【００２５】
【数６】
0006517668.tif 000007
【００２６】
である。
ガス（ガス流れ）は、Ｘ方向にのみ流れるため、平均流速
【００２７】
【数７】
0006517668.tif 000008
【００２８】
のＹ方向およびＺ方向の成分ｖｙおよびｖｚは０と想定される。ワット／ｍ３の単位を有するΘは、加熱要素のソースタームを表す。ソースタームは、マイクロ熱法においては、システムに熱エネルギーを供給する小型の集積型熱線アネモメータの加熱ワイヤから生じる。
【００２９】
熱伝導率λは、ソースタームΘのために、方程式（３）の解に対して別個に作用することに注意しなければならない。逆に、マイクロ熱センサーが質量流量の適用なし（ｖｘ＝０および
【００３０】
【数８】
0006517668.tif 000009
【００３１】
＝０）で使用される場合に、熱伝導率を決定できる。その場合、温度分布に関する関連微分方程式は単純に、
【００３２】
【数９】
0006517668.tif 000010
【００３３】
である。
さらに、温度分布は、ソースタームを変えることによって変化させることができる。これによって、異なる温度における熱伝導率の決定が可能になる。
【００３４】
マイクロ熱センサーによる熱容量の決定
マイクロ熱システムにおける温度分布を記述する方程式（３）の解によって、その温度分布の測定により、フローファクターφを決定できる。
【００３５】
【数１０】
0006517668.tif 000011
【００３６】
但し、Ａはマイクロ熱センサー上の流路の断面積を表し、
【００３７】
【数１１】
0006517668.tif 000012
【００３８】
は質量流量である。熱容量は、最終的に、既知の質量流量および既知の熱伝導率によって決定できる。
ガスの品質に関する特定の量の相関付け
音速ｃｓと、熱伝導率λと、熱容量ｃｐとに関する３つの独立の測定量が利用可能であり、それによって、発熱量などのガスの品質に関する特定の量Ｑを、相関関数ｆｃｏｒｒによって相関付けることができる。
【００３９】
Ｑ＝ｆｃｏｒｒ（センサー出力）：＝ｆｃｏｒｒ（Ｓｏｕｔ）      （６）
「センサー出力」Ｓｏｕｔは、出力量ｃｓ、λおよびｃｐの関数である。
Ｓｏｕｔ＝ｆ（ｃｓ，λ，ｃｐ）      （７）
次の相関関数は、例えば、図２ａに示す０℃および１０１３．２５ｈＰａ（１０１３．２５ｍｂａｒ）における密度比Ｑ＝ρ／ρｒｅｆの相関付けに対して得られる。
【００４０】
【数１２】
0006517668.tif 000013
【００４１】
但し、係数ａ０＝３６、ａ１＝−６５およびａ２＝３０であり、メタン（Ｇ２０）が基準である。Ｓｏｕｔは単に音速ｃｓである。
Ｓｏｕｔ＝ｆ（ｃｓ，λ，ｃｐ）＝ｃｓ      （９ａ）
図２ｂは、０℃および１０１３．２５ｈＰａ（１０１３．２５ｍｂａｒ）における密度比Ｑ＝ρ／ρｒｅｆの、２つの異なる温度において測定された音速および熱伝導率に基づいて改善された相関付けを示す。
【００４２】
図３ａにおけるガスの品質に関する特定の量の相関付けの場合には、発熱量の例に対する式（８ｂ）が次のように読まれる。
【００４３】
【数１３】
0006517668.tif 000014
【００４４】
但し、係数ａ０＝８．１、ａ１＝−１１およびａ２＝４．７であり、この場合もメタン（Ｇ２０）が基準である。Ｓｏｕｔは、この場合すべての３つの出力量の関数である。
【００４５】
【数１４】
0006517668.tif 000015
【００４６】
密度に関する式（８ａ）と発熱量に関する式（８ｂ）とを相互に組み合わせることによって、次式、すなわち、
【００４７】
【数１５】
0006517668.tif 000016
【００４８】
で定義されるバーナの出力に関する尺度としてのウォッベ指数Ｗを、ｃｓ、ｃｐおよびλを用いて別のガスの品質として相関付け得ることは、図２および図３ａの結果から容易に理解できる。
【００４９】
さらに別の例として、ガスの品質としてのＺ因子または実際のガス因子を、音速ｃｓと、熱伝導率λと、熱容量ｃｐとの３つの独立の量から相関付けることができる。この因子は、実際のガスの挙動の理想気体の法則からの逸脱を表す。すなわち、
ｐ・Ｖ＝Ｚ・Ｒｍ・Ｔ      （１１）
である。
【００５０】
実際のガスの挙動は、特に高圧において、すなわち、正確には大型のガス輸送ライン内に生じる（従って特に考慮しなければならない）圧力において、理想気体の挙動から強く逸脱する。この適用においては、独立の量の決定を、同じ高圧において行う必要はなく、例えば、それぞれの測定装置の構成を遥かに容易に実施できる大気圧において行うことも可能である点が、関心の対象となる。図３ｂは、５０ｈＰａ（５０ｂａｒ）におけるＺ因子の次の基本的パラメータとの可能な相関関係を示す。
【００５１】
【数１６】
0006517668.tif 000017
【００５２】
但し、係数ａ０＝１．１、ａ１＝０．１５、ａ２＝−０．２９およびａ３＝０．０５であり、メタン（Ｇ２０）が基準である。Ｓｏｕｔは、この場合もすべての３つの出力量（大気圧における）の関数である。
【００５３】
【数１７】
0006517668.tif 000018
【００５４】
述べておくべきさらに別の例は動粘度η／ρ（粘度／密度）の相関付けである。この量は、流体力学において使用されるレイノルズ数Ｒｅにおいても見られ、慣性力対粘性力の比として理解できる。
【００５５】
【数１８】
0006517668.tif 000019
【００５６】
但し、ρは密度を意味し、ｖは流れの中の物体に対するガスの流速を意味し、ｄはその物体の特徴長さを意味する。従って、類似の物体の乱流挙動は、レイノルズ数が同じ場合、同一であることになる。このため、動粘度が既知であれば、例えば、配管システム内のガスに乱流が生じた場合、レイノルズ数を推定できる。これは、ガス配給ネットワークの場合には、そのようなネットワークの形態に関する重要な入力である。図３ｃは、動粘度η／ρとセンサー出力Ｓｏｕｔとの間の相関関係を示す。
【００５７】
【数１９】
0006517668.tif 000020
【００５８】
但し、係数ａ０＝０．１５およびａ１＝０．８５であり、メタン（Ｇ２０）が基準である。Ｓｏｕｔは、この場合もすべての３つの出力量の関数である。
【００５９】
【数２０】
0006517668.tif 000021
【００６０】
一方ではＳｏｕｔの選択、および他方ではｆｃｏｒｒの選択も決して予め決定されるのではなく、結果としての相関誤差ができる限り小さくなるように自由に選択されるという点に注意しなければならない。式（８ａ）〜（８ｄ）において述べた多項式の関数は、通常好結果が得られる典型的な選択であるが、一方、式（９ａ）〜（９ｄ）は、むしろ物理的な相互関係を記述する試みである。
【００６１】
本発明による方法は前記の例に限定されないことを例証するために、この方法によって決定できるガスの品質に関する特定の量のさらに別の例を以下に述べる。
メタン価。これは、気体燃料のノッキングの傾向に関するガスエンジン駆動装置における重要な指標である。ガスエンジン駆動装置は、定置方式（例えば熱電併給プラント）または移動分野（例えばガスエンジン車両、船舶など）のいずれかにおいて使用できる。
【００６２】
「空気対燃料比」、すなわち、プロセスに供給されるべき空気の量。「空気対燃料比」の知識は、燃焼プロセスの効率化と排気ガス挙動との両方を最適化するために、例えば、開放火炎または触媒方式の場合（例えば高温燃料電池における改質プロセス）の燃焼プロセスにおいて、化学量論的に（例えば燃焼プラントにおいて）または過剰空気として（例えば希薄燃焼エンジンにおいて）関連している。
【００６３】
メタン含有量。この監視は、例えばプロセス工業において重要である。バイオガスプラントにおいては、メタン含有量は、通常、原バイオガスにおいて（例えば発酵槽の効率に関する尺度として）、および／または、天然ガスネットワークに供給されるべきガスにおいて（例えば品質制御用として）、および／または、空気中に放出される残留ガス（メタンは高い温室効果を有するため、主としてメタンをできるだけ含まない二酸化炭素）において監視される。
【００６４】
典型的な一実施形態における方法のステップ
１．ガスの圧力ｐおよび温度Ｔを測定するステップ。
２．流速ｖｘに比例する容積流量と、ほとんどのガスについて標準密度ρｎｏｒｍとよく相関する音速ｃｓとを超音波によって決定するステップ。
【００６５】
３．標準密度ρｎｏｒｍの相関付けをさらに改善するために、マイクロ熱センサーによって測定される（１つまたはいくつかの温度Ｔｉにおける）熱伝導率λＴｉを含めるステップ。
【００６６】
４．運転条件の下での密度を次式によって計算するステップ。
【００６７】
【数２１】
0006517668.tif 000022
【００６８】
５．ρ・ｖｘに比例する質量流量
【００６９】
【数２２】
0006517668.tif 000023
【００７０】
と、マイクロ熱センサーによって測定される熱伝導率λおよびフローファクターφと共に、熱容量ｃｐとを決定するために、この情報（ｖｘ、ρ）を使用するステップ。
６．ガスの品質に関する所要の特定の量を、特に発熱量ＣＶ、音速ｃｓ、熱伝導率λおよび熱容量ｃｐから相関付けるステップ。
【００７１】
７．エネルギー消費量ΦＥｎは、必要であれば、それぞれ質量流量または容積流量と発熱量ＣＶとの積（単位はＪ／ｋｇまたはＪ／ｍ３）から決定できる。
本明細書においては、前記の標準密度ρｎｏｒｍは、指定された温度Ｔｎｏｒｍおよび指定された圧力ｐｎｏｒｍにおける密度として理解されるものとする。標準密度は、通常、０℃および１０１３．２５ｈＰａ（１０１３．２５ｍｂａｒ）において表現される。密度および音速の間の相関関係が既知である温度Ｔｎｏｒｍおよび圧力ｐｎｏｒｍに対して、他の値を決定することも可能である。
【００７２】
本発明による方法および測定装置
本発明によるガスの品質に関する特定の量を決定するための方法においては、
−  ガスまたはガス混合物が、超音波フローセンサーを貫通して流れ、かつマイクロ熱センサー上を流れ、
−  ガスまたはガス混合物の温度および圧力が検出され、
−  ガスまたはガス混合物の流速または容積流量と音速とが超音波フローセンサーによって決定され、
−  ガスまたはガス混合物の密度が音速から相関付けられ、
−  密度情報が、流速と共に、質量流量を計算するのに用いられ、
−  １つまたはいくつかの温度におけるガスまたはガス混合物の熱伝導率がマイクロ熱センサーによって決定され、
−  質量流量および熱伝導率の情報と共に、ガスまたはガス混合物の熱容量または熱容量によって変化する量をフローファクターから決定するために、そのフローファクターがマイクロ熱センサーのフロー信号から計算され、
−  および最後に、音速と、１つまたはいくつかの温度における熱伝導率と、熱容量または熱容量によって変化する量のいずれかとが、ガスの品質に関する特定の量、特に発熱量の相関付けに用いられる。
【００７３】
超音波フローセンサーによって決定される音速は、必要であれば、標準温度における音速に変換できる。
有利な一実施形態においては、１つまたはいくつかの温度においてマイクロ熱センサーによって決定される熱伝導率が、音速と共に、密度のより正確な相関付けに用いられる。
【００７４】
音速から、または音速および熱伝導率から相関付けられる密度を、例えば、標準密度とすることができる。音速から、または音速および熱伝導率から相関付けられる密度または標準密度は、ガスまたはガス混合物の温度および圧力によって、運転条件における密度に有利に変換される。
【００７５】
この方法の有利な一実施形態においては、音速と、１つまたはいくつかの温度における熱伝導率と、熱容量または熱容量によって変化する量のいずれかとが、発熱量、またはウォッベ指数（Ｗ）、またはＺ因子、または動粘度の相関関付けに用いられる。
【００７６】
この方法の別の有利な一実施形態においては、エネルギー消費量が、例えば、容積流量または質量流量と発熱量との積を時間に関して積分することによって、容積流量または質量流量と共に発熱量から計算される。
【００７７】
上記の方法と、上記の実施形態および変形形態とは、ガスの品質に関する特定の量および／またはエネルギー消費量の連続的な決定と、さらにまた間欠的な決定との両方に適している。
【００７８】
本発明によるガスの品質に関する特定の量および／またはエネルギー消費量を決定するための測定装置は、上記の実施形態および変形形態のいずれかによる方法を実施するように構成される評価ユニットと、音速および流速測定用の超音波フローセンサーと、圧力測定用の圧力センサーと、温度測定用の温度センサーと、ガスまたはガス混合物の熱伝導率および熱容量または前記熱容量によって変化する量のいずれかの測定用のマイクロ熱センサーとを備えている。
【００７９】
測定装置の第１実施形態においては、超音波フローセンサーおよびマイクロ熱センサーがガスライン内に配置され、および同じ質量流量を供給され得る。
この測定装置の第２実施形態においては、超音波フローセンサーが主たるガスライン内に、かつマイクロ熱センサーが主たるガスラインに対するバイパスガスライン内に配置され、およびバイパスガスライン内に質量流量を発生させるために、主たるガスライン内に、圧力低下を生じさせる要素が設けられる。
【００８０】
上記の第１および第２実施形態においては、超音波フローセンサーが、ガスラインまたは主たるガスラインに非侵入方式で配置されることが有利である。
測定装置の第３実施形態においては、超音波フローセンサーおよびマイクロ熱センサーが、主たるガスラインに対するバイパスガスライン内に配置され、およびバイパスガスライン内に質量流量を発生させるために、主たるガスライン内に、圧力低下を生じさせる要素が設けられる。
【００８１】
第２および第３実施形態におけるバイパスガスライン内および主たるガスライン内の質量流量の分割比は、例えば既知のガスで校正することによって有利に知られる。
上記の実施形態および変形形態には関係なく、測定装置は、付加的に、ガスラインまたは主たるガスラインの一部分、および／または、バイパスガスラインであって、測定装置のセンサーの少なくとも１つがその中に配置されるバイパスガスライン、および／または、主たるガスライン内に圧力低下を生じさせる要素を含むことができる。
【００８２】
評価ユニットは、残りの測定装置と共にモジュラーユニットを形成する。用途によっては、測定装置は、評価ユニットなしでもモジュラーユニットを形成できる。その場合は、評価ユニットは別個のまたはより高レベルの計算ユニットの中に形成できる。
【００８３】
ガスの品質に関する特定の量および／またはエネルギー消費量を決定するための本発明による方法および測定装置は、付加的なコンプレッサまたは真空ポンプを必要とすることなく、低圧のガスネットワークにおいても用いることができる利点を提供する。特許文献１に記載の測定装置においては、このコンプレッサまたは真空ポンプが設けられる。
【００８４】
マイクロ熱センサーによって決定できる１つまたはいくつかの温度におけるガスまたはガス混合物の熱伝導率を、音速と共に、密度のより正確な相関付けを得るために用いることができる点がさらに有利である。これによって、より正確な質量流量の値がもたらされる。
【００８５】
音速、熱伝導率および熱容量の３つの独立の変数からの、ガスの品質に関する特定の量の相関付けによって、前記の特許文献２による方法の場合よりさらに高い正確度の発熱量およびエネルギー消費量の決定が可能になる。
【発明の効果】
【００８６】
本発明によれば、ガスの品質に関する特定の量を決定するための方法および測定装置が提供できた。
【図面の簡単な説明】
【００８７】
【図１ａ】マイクロ熱アネモメータの実施形態の概略形態を示す。
【図１ｂ】超音波フローセンサーの概略図を示す。
【図２ａ】音速に基づく密度の決定（相関付け）の一例を示す。
【図２ｂ】音速および熱伝導率に基づく改良された密度の決定（相関付け）の一例を示す。
【図３ａ】熱容量と熱伝導率と音速とに基づく発熱量の決定（相関付け）の一例を示す。
【図３ｂ】熱容量と熱伝導率と音速とに基づくＺ因子の決定（相関付け）の一例を示す。
【図３ｃ】熱容量と熱伝導率と音速とに基づく動粘度の決定（相関付け）の一例を示す。
【図４】主たるガスライン内における本発明による測定装置の概略形態の一実施形態を示す。
【図５】主たるガスラインに対するバイパスガスライン内のマイクロ熱センサーを備えた本発明による測定装置の概略形態の第２の実施形態を示す。
【図６】バイパスガスライン内の本発明による測定装置の概略形態の第３の実施形態を示す。
【発明を実施するための形態】
【００８８】
以下、本発明を、図面を参照してさらに詳細に説明する。
図１ａは、本発明による測定装置において使用するマイクロ熱センサー７の一実施形態を示す。図１ａに示すように、マイクロ熱センサーは、集積型マイクロ熱ＣＭＯＳ熱線アネモメータであって、運転時には、バイパスガスラインの一部分に配置されると共に、ガスまたはガス混合物の流れ２ａを供給し得る熱線アネモメータとすることができる。マイクロ熱ＣＭＯＳ熱線アネモメータは、通常数マイクロメートルの厚さの膜１４を含む基板１３を含む。ＣＭＯＳ熱線アネモメータは、さらに、２つの熱電対１５．１、１５．２と、この２つの熱電対の間において流れの方向に配置できる加熱要素１６とを備えている。温度は、熱電対１５．１、１５．２によって検出できるが、この温度は、ガスまたはガス混合物の流れ２ａとの熱交換１５．１ａ、１５．２ａの結果として得られるものである。
【００８９】
集積型マイクロ熱ＣＭＯＳ熱線アネモメータの機能についてのさらなる詳細に関しては、前記の文献、Ｄ．マター（Ｄ．Ｍａｔｔｅｒ）、Ｂ．クラマー（Ｂ．Ｋｒａｍｅｒ）、Ｔ．クライナー（Ｔ．Ｋｌｅｉｎｅｒ）、Ｂ．サバッティーニ（Ｂ．Ｓａｂａｔｔｉｎｉ）、Ｔ．ズター（Ｔ．Ｓｕｔｅｒ）著、「新技術による家庭用マイクロエレクトロニクスガスメータ（Ｍｉｋｒｏｅｌｅｋｔｏｎｉｓｃｈｅｒ  Ｈａｕｓｈａｌｔｓｇａｓｚａｅｌｅｒ  ｍｉｔ  ｎｅｕｅｒ  Ｔｅｃｈｎｏｌｏｇｉｅ［Ｍｉｃｒｏｅｌｅｃｔｒｏｎｉｃ  ｄｏｍｅｓｔｉｃ  ｇａｓ  ｍｅｔｅｒ  ｗｉｔｈ  ｎｅｗ  ｔｅｃｈｎｏｌｏｇｙ］）」、技術見本市（Ｔｅｃｈｎｉｓｃｈｅｓ  Ｍｅｓｓｅｎ）、第７１巻、第３号（２００４年）、ｐ．１３７〜１４６が参照される。
【００９０】
図１ｂは、本発明による測定装置に用いる超音波フローセンサー４の実施形態を示す。例えば、いずれも音を発しかつ音を受け取る２つのユニット（例えばピエゾアクチュエータまたはレセプタ）１７および１８が、測定ライン上の斜めに向かい合う位置に配置される。アクチュエータ１７から射出される音のパルスは、アクチュエータ１８から同時に射出される音のパルスがレセプタ１７に達するよりも速くレセプタ１８に達する。音速ｃｓおよび流速ｖｘの両方は、この構成の形状因子と共に走行時間ｔ１２およびｔ２１から計算できる。
【００９１】
超音波センサーの機能性に関するさらなる詳細については、本明細書では、Ｌ．Ｃ．リンワーサ（Ｌ．Ｃ．Ｌｙｎｎｗｏｒｔｈａ）、イー  リウブ（Ｙｉ  Ｌｉｕｂ）著、「超音波フローメータ：半世紀の進歩報告、１９５５−２００５（Ｕｌｔｒａｓｏｎｉｃ  ｆｌｏｗｍｅｔｅｒｓ：Ｈａｌｆ−ｃｅｎｔｕｒｙ  ｐｒｏｇｒｅｓｓ  ｒｅｐｏｒｔ、１９５５−２００５）」、超音波（Ｕｌｔｒａｓｏｎｉｃｓ）、第４４巻、補遺（２００６年）、ｐ．ｅ１３７１〜ｅ１３７８が参照される。
【００９２】
図４は、本発明による測定装置の概略形態の一実施形態を示す。この実施形態において、測定装置１１は、本発明による方法を実施するように構成される評価ユニット１０と、超音波フローセンサー４と、マイクロ熱センサー７と、圧力センサー８および温度センサー９とを含み、これらのうちのセンサーはガスライン１内に配置できる。これらの構成要素のいくつかまたはすべては、モジュラーユニットの中に組み込むことができるが、その場合、評価ユニット１０は、そのモジュラーユニットの構成要素とすることができる（変形形態１１ａ）か、あるいは、例えばより高レベルの計算ユニットの中に別個に取り付ける（変形形態１１ｂ）ことができる。
【００９３】
図４の実施形態は、例えばガス分析の分野で生じるような小さくかつ微小なガス流れにおけるガスの品質に関する特定の量を決定する場合、および主としてガスの品質に関する情報が関係している場合に特に適している。
【００９４】
図４の実施形態における測定装置は、例えば、分析ユニットとして、あるいは別個の分析装置として用いることが可能であり、その場合、その分析ユニットまたは分析装置は、ガスライン１であって、測定装置のセンサー４、７、８、９がその中に配置されるガスライン１を有利に含んでいる。この分析ユニットまたは分析装置によって、ガスのサンプルを採取して分析できる。このために必要な接続および弁は、図４には表示されていない。
【００９５】
ガスおよびガスの混合物の品質に関する特定の量を決定するための本発明による方法の実施形態を、図４を参照して以下に説明する。この方法においては、ガスまたはガス混合物が、ガスライン１内において、超音波フローセンサー４を貫通して流れ、かつマイクロ熱センサー７上を流れる。ガスまたはガス混合物の圧力および温度、すなわち運転条件は、ガスライン内に追加的に配置される圧力センサー８および温度センサー９によって決定される。超音波センサーは、さらに、音速と、流速または容積流量とを測定する。密度の相関付けが、引き続いて、音速に基づいて行われ、その場合、相関付けによって決定された密度は、所定の温度および所定の圧力（運転条件）における密度に適切に変換される。
【００９６】
さらに、１つまたはいくつかの温度におけるガスの熱伝導率が、マイクロ熱センサー７によって、熱線の加熱出力を変化させて測定される。必要であれば、この測定結果を密度の相関付けに含めることも可能である。続いて、質量流量が、密度および容積流量の値から計算される。ガスの熱容量と熱伝導率との間の比が、同様にマイクロ熱センサーによって測定されるフローファクターから計算され、既知の熱伝導率と共に、熱容量の値が計算される。引き続いて、音速と、熱伝導率と、熱容量とを用いて、ガスの品質に関する特定の量、例えば、発熱量またはウォッベ指数（Ｗ）またはＺ因子または動粘度が相関付けられる。必要であれば、質量流量に発熱量を乗じてエネルギー消費量を決定できる。
【００９７】
図５は、主たるガスライン１に対するバイパスガスライン６内にマイクロ熱センサー７を備えた本発明による測定装置１１の概略形態の第２の実施形態を示す。この場合、バイパスガスラインを経由する運転中に、バイパスガスライン内にガス流れ２を導く圧力低下が形成されるように、主たるガスライン内に、圧力低下を生じさせる要素５が設けられる。これによって、主たるガスラインおよびバイパスガスラインの間の特徴的な流れの分割比３が得られる。
【００９８】
図示の実施形態においては、測定装置は、マイクロ熱センサー７の他に、本発明による方法を実施するように構成される評価ユニット１０と、通常主たるガスライン１内に配置される超音波フローセンサー４、圧力センサー８および温度センサー９とを含む。これらの構成要素のいくつかまたはすべては、モジュラーユニットの中に組み込むことができるが、その場合、評価ユニット１０は、そのモジュラーユニットの構成要素とすることができる（変形形態１１ａ）か、あるいは、例えばより高レベルの計算ユニットの中に別個に取り付ける（変形形態１１ｂ）ことができる。
【００９９】
図５の実施形態は、ガスの品質に関する特定の量の決定用として、また、ガスの品質として発熱量を用いる場合は、例えば、家庭分野、工業用または管理輸送において生じる中規模から大規模のガス流れの場合のエネルギー消費量の測定用としても適している。
【０１００】
超音波フローセンサー４は、必ずしもガスラインまたは主たるガスライン１内に装着する必要はなく、いわゆる「クランプ締め付け装置」として、ガスラインまたは主たるガスラインに外側から取り付けることも可能である。一方、マイクロ熱センサー７は、微小な流量しか必要としないため、バイパスガスライン６に配置することが好ましい。
【０１０１】
ガスおよびガスの混合物の品質に関する特定の量を決定するための本発明による方法の第２の実施形態を、図５を参照して以下に説明する。この方法においては、ガスまたはガス混合物が、主たるガスライン１内において、圧力低下を生じさせる要素５の上部を、またはそれを貫通して流れる。バイパスガスライン６は、圧力低下を生じさせる要素５の前で分岐し、その要素の後で、主たるガスラインに再結合する。ガスまたはガス混合物２の一部分は、圧力低下を生じさせる要素５によって、バイパスガスライン６を通り、かつそのライン内に配置されるマイクロ熱センサー７の上部を流れるように強制的に導かれる。超音波フローセンサー４には主たるガス流れが供給される。
【０１０２】
ガスまたはガス混合物の圧力および温度、すなわち運転条件は、主たるガスライン内に追加的に配置される圧力センサー８および温度センサー９によって決定される。音速と、流速または容積流量とが、超音波センサーによってさらに測定される。これに続いて、密度の相関付けが音速に基づいて行われ、その場合、相関付けによって決定された密度は、所定の温度および所定の圧力（運転条件）における密度に適切に変換される。
【０１０３】
さらに、１つまたはいくつかの温度におけるガスの熱伝導率が、マイクロ熱センサー７によって、熱線の加熱出力を変化させて測定される。必要であれば、この測定結果を密度の相関付けに含めることも可能である。続いて、主たるガスライン１を通る質量流量が、密度および容積流量の値によって計算される。さらに続いて、主たるガスラインおよびバイパスガスラインの間の質量流量の分割比を適切に用いて、バイパスガスライン内の質量流量を計算する。この分割比は、例えば既知のガスによる校正測定において前もって決定できる。
【０１０４】
ガスまたはガス混合物の熱容量と熱伝導率との間の比が、同様にマイクロ熱センサーによって測定されるフローファクターから計算され、既知の熱伝導率と共に、熱容量の値が計算される。引き続いて、音速と、熱伝導率と、熱容量とを用いて、ガスの品質に関する特定の量が相関付けられる。ガスの品質として発熱量を用いる場合は、主たるガスライン中の質量流量に発熱量を乗じることによって、エネルギー消費量が追加的に得られる。
【０１０５】
図６は、主たるガスライン１に対するバイパスガスライン６内の本発明による測定装置１１の概略形態の第３の実施形態を示す。この場合、運転中に、バイパスガスラインを経由する圧力低下であって、バイパスガスライン内のガス流れ２を生じさせる圧力低下が形成されるように、主たるガスライン内に、圧力低下を生じさせる要素５が設けられる。これによって、主たるガスラインおよびバイパスガスラインの間の特徴的な流れの分割比３が形成される。
【０１０６】
図示の実施形態においては、測定装置は、本発明による方法を実施するように構成される評価ユニット１０と、バイパスガスライン６内に配置される超音波フローセンサー４およびマイクロ熱センサー７とを含む。この測定装置は、さらに、ほとんどの場合、バイパスガスライン６内に配置される圧力センサー８および温度センサー９を含む。これらの構成要素のいくつかまたはすべては、モジュラーユニットの中に組み込むことができ、その場合、評価ユニット１０は、そのモジュラーユニットの構成要素とすることができる（変形形態１１ａ）か、あるいは、例えばより高レベルの計算ユニットの中に別個に取り付ける（変形形態１１ｂ）ことができる。
【０１０７】
図６の実施形態は、超音波センサー４がマイクロテクノロジーにおいて形成され、かつそのセンサーが、マイクロ熱センサー７と同様に、微小な流量しか必要としない場合に、構成することが望ましい。その際、両センサーは、バイパスガスライン６内に配置するのが有利である。
【０１０８】
ガスおよびガスの混合物の品質に関する特定の量を決定するための本発明による方法の第３の実施形態を、図６を参照して以下に説明する。この方法は、ガスの品質に関する特定の量および／またはエネルギー消費量の連続的および間欠的な決定の両方に適する。場合によって必要になる接続および弁は、図６には表示されていない。
【０１０９】
この方法の第３の実施形態においては、ガスおよびガスの混合物は、主たるガスライン１内において、圧力低下を生じさせる要素５の上部を、またはそれを貫通して流れる。バイパスガスライン６は、圧力低下を生じさせる要素５の前で分岐し、その要素の後で、主たるガスラインに再結合する。ガスまたはガス混合物の一部分２は、圧力低下を生じさせる要素５によって、バイパスガスライン６を通って、超音波フローセンサー４を貫通し、かつそのバイパスガスライン内に配置されるマイクロ熱センサー７の上部を流れるように強制的に導かれる。超音波フローセンサー４およびマイクロ熱センサー７には、同じガス流れが供給される。
【０１１０】
ガスまたはガス混合物の圧力および温度、すなわち運転条件は、バイパスガスライン内に追加的に配置される圧力センサー８および温度センサー９によって決定される。音速と、流速または容積流量とが、超音波センサーによってさらに測定される。これに続いて、密度の相関付けが音速に基づいて行われ、その場合、相関付けによって決定された密度は、所定の温度および所定の圧力（運転条件）における密度に適切に変換される。
【０１１１】
さらに、１つまたはいくつかの温度におけるガスの熱伝導率が、マイクロ熱センサー７によって、熱線の加熱出力を変化させて測定される。必要であれば、この測定結果を密度の相関付けに含めることも可能である。続いて、バイパスガスライン６を通る質量流量が、密度および容積流量の値によって計算される。
【０１１２】
ガスの熱容量と熱伝導率との間の比と、既知の熱伝導率と共に熱容量の値とが、同様にマイクロ熱センサーによって測定されるフローファクターから計算される。続いて、音速と、熱伝導率と、熱容量とを用いて、ガスの品質に関する特定の量が相関付けられる。
【０１１３】
上記の測定および計算は、バイパスガスラインに関するものであるため、主たるガスラインにおける質量流量を計算するためには、主たるガスラインおよびバイパスガスラインの間の質量流量の分割比が用いられる。この分割比は、例えば既知のガスによる校正測定において前もって決定できる。ガスの品質に関する特定の量として発熱量が決定された場合は、主たるガスライン中の質量流量に発熱量を乗じることによって、エネルギー消費量が追加的に得られる。
【０１１４】
本発明による方法および測定装置と、ガスの品質に関する特定の量および／またはエネルギー消費量を決定するための上記の実施形態および変形形態とは、高圧および低圧のガスネットワークにおいて使用可能であると共に、音速、熱伝導率および熱容量の３つの独立の変数からの相関付けのために、上記の量の決定において、相対的に高レベルの正確さを提供する。
【図１ａ】
0006517668.tif 000024
【図１ｂ】
0006517668.tif 000025
【図２ａ】
0006517668.tif 000026
【図２ｂ】
0006517668.tif 000027
【図３ａ】
0006517668.tif 000028
【図３ｂ】
0006517668.tif 000029
【図３ｃ】
0006517668.tif 000030
【図４】
0006517668.tif 000031
【図５】
0006517668.tif 000032
【図６】
0006517668.tif 000033